【手続補正書】
【提出日】平成17年7月25日(2005.7.25)
【手続補正１】
【補正対象書類名】明細書
【補正対象項目名】発明の名称
【補正方法】変更
【補正の内容】
【発明の名称】記録再生装置及び方法  
【手続補正２】
【補正対象書類名】明細書
【補正対象項目名】特許請求の範囲
【補正方法】変更
【補正の内容】
【特許請求の範囲】
【請求項１】
ディスク状記録媒体に対してレーザビームを照射して情報信号を記録再生する記録再生手段と、
前記記録再生手段による前記情報信号の記録動作または再生動作に伴って、前記ディスク状記録媒体の特性を診断する診断手段と、
前記診断手段により得られた前記ディスク状記録媒体の特性の情報を診断履歴情報として記憶するメモリと、
前記メモリに記憶された診断履歴情報に基づいて前記ディスク状記録媒体の特性が所定のレベルに達する時期を予測する予測手段と、
前記予測手段により予測された時期を示す情報を表示装置に表示する表示手段とを備えることを特徴とする記録再生装置。
【請求項２】
前記診断手段は、前記レーザビームのパワーを複数段階に切り換えながら記録した所定のデータを再生した際の再生エラーにより所定の記録条件を満足する前記レーザビームの記録パワーマージンを算出し、前記記録パワーマージンを前記診断履歴情報として前記メモリに記憶することを特徴とする請求項１記載の記録再生装置。
【請求項３】
前記診断手段は、前記レーザビームのパワーを複数段階に切り換えながら前記ディスク状記録媒体から再生した前記情報信号の再生エラーにより所定の再生条件を満足する前記レーザビームの再生パワーマージンを算出し、前記再生パワーマージンを前記診断履歴情報として前記メモリに記憶することを特徴とする請求項１又は２記載の記録再生装置。
【請求項４】
前記診断手段は、前記ディスク状記録媒体における前記情報信号の記録再生が不能な欠陥箇所を検出し、前記検出した欠陥箇所を示す情報を前記診断履歴情報として前記メモリに記憶することを特徴とする請求項１乃至３のいずれか１項に記載の記録再生装置。
【請求項５】
前記診断手段は、前記ディスク状記録媒体の反り量を検出し、前記検出された反り量を示す情報を前記診断履歴情報として前記メモリに記憶することを特徴とする請求項１乃至４のいずれか１項に記載の記録再生装置。
【請求項６】
前記表示手段は、前記診断履歴情報に基づいて前記ディスク状記録媒体の特性の経時相対変化量を表示することを特徴とする請求項１記載の記録再生装置。
【請求項７】
前記表示手段は、前記診断履歴情報に基づいて前記ディスク状記録媒体の特性を所定の基準レベルと比較して表示することを特徴とする請求項１記載の記録再生装置。
【請求項８】
前記診断手段は、前記ディスク状記録媒体の固有識別番号に基づいて前記ディスク状記録媒体の特性を診断することを特徴とする請求項１記載の記録再生装置。
【請求項９】
ディスク状記録媒体に対してレーザビームを照射して情報信号を記録再生する記録再生工程と、
前記記録再生工程による前記情報信号の記録動作または再生動作に伴って、前記ディスク状記録媒体の特性を診断する診断工程と、
前記診断工程にて得られた前記ディスク状記録媒体の特性の情報を診断履歴情報としてメモリに記憶する記憶工程と、
前記メモリに記憶された診断履歴情報に基づいて前記ディスク状記録媒体の特性が所定のレベルに達する時期を予測する予測工程と、
前記予測工程にて予測された時期を示す情報を表示装置に表示する表示工程とを備えることを特徴とする記録再生方法。
【請求項１０】
前記診断工程は、前記レーザビームのパワーを複数段階に切り換えながら記録した所定のデータを再生した際の再生エラーにより所定の記録条件を満足する前記レーザビームの記録パワーマージンを算出し、前記記録パワーマージンを前記診断履歴情報として前記メモリに記憶することを特徴とする請求項９記載の記録再生方法。
【請求項１１】
前記診断工程は、前記レーザビームのパワーを複数段階に切り換えながら前記ディスク状記録媒体から再生した前記情報信号の再生エラーにより所定の再生条件を満足する前記レーザビームの再生パワーマージンを算出し、前記再生パワーマージンを前記診断履歴情報として前記メモリに記憶することを特徴とする請求項９又は１０記載の記録再生方法。
【請求項１２】
前記診断工程は、前記ディスク状記録媒体における前記情報信号の記録再生が不能な欠陥箇所を検出し、前記検出した欠陥箇所を示す情報を前記診断履歴情報として前記メモリに記憶することを特徴とする請求項９乃至１１のいずれか１項に記載の記録再生方法。
【請求項１３】
前記診断工程は、前記ディスク状記録媒体の反り量を検出し、前記検出された反り量を示す情報を前記診断履歴情報として前記メモリに記憶することを特徴とする請求項９乃至１２のいずれか１項に記載の記録再生方法。
【請求項１４】
前記表示工程は、前記診断履歴情報に基づいて前記ディスク状記録媒体の特性の経時相対変化量を表示することを特徴とする請求項９記載の記録再生方法。
【請求項１５】
前記表示工程は、前記診断履歴情報に基づいて前記ディスク状記録媒体の特性を所定の基準レベルと比較して表示することを特徴とする請求項９記載の記録再生方法。
【請求項１６】
前記診断工程は、前記ディスク状記録媒体の固有識別番号に基づいて前記ディスク状記録媒体の特性を診断することを特徴とする請求項９記載の記録再生方法。
【手続補正３】
【補正対象書類名】明細書
【補正対象項目名】０００１
【補正方法】変更
【補正の内容】
【０００１】
【発明の属する技術分野】
本発明は、記録再生装置及び方法に関し、特に、ディスク状記録媒体を利用して情報の書き換え、読み出しが可能な記録再生装置及び方法に関する。
【手続補正４】
【補正対象書類名】明細書
【補正対象項目名】００１３
【補正方法】変更
【補正の内容】
【００１３】
そこで、本発明は、上記問題を解消するために成されたもので、記録媒体のメーカー間や製造ロット間等による個体差に影響されることなく、品質変化を監視して一定レベルの品質維持が可能な有効期限を予測してユーザに通知することができる記録再生装置及び方法を提供することを目的とする。
【手続補正５】
【補正対象書類名】明細書
【補正対象項目名】００１４
【補正方法】変更
【補正の内容】
【００１４】
【課題を解決するための手段】
上記目的を達成するために、請求項１記載の記録再生装置は、ディスク状記録媒体に対してレーザビームを照射して情報信号を記録再生する記録再生手段と、前記記録再生手段による前記情報信号の記録動作または再生動作に伴って、前記ディスク状記録媒体の特性を診断する診断手段と、前記診断手段により得られた前記ディスク状記録媒体の特性の情報を診断履歴情報として記憶するメモリと、前記メモリに記憶された診断履歴情報に基づいて前記ディスク状記録媒体の特性が所定のレベルに達する時期を予測する予測手段と、前記予測手段により予測された時期を示す情報を表示装置に表示する表示手段とを備えることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項２記載の記録再生装置は、請求項１記載の記録再生装置において、前記診断手段は、前記レーザビームのパワーを複数段階に切り換えながら記録した所定のデータを再生した際の再生エラーにより所定の記録条件を満足する前記レーザビームの記録パワーマージンを算出し、前記記録パワーマージンを前記診断履歴情報として前記メモリに記憶することを特徴とする。
【手続補正９】
【補正対象書類名】明細書
【補正対象項目名】００１８
【補正方法】変更
【補正の内容】
【００１８】
請求項３記載の記録再生装置は、請求項１又は２記載の記録再生装置において、前記診断手段は、前記レーザビームのパワーを複数段階に切り換えながら前記ディスク状記録媒体から再生した前記情報信号の再生エラーにより所定の再生条件を満足する前記レーザビームの再生パワーマージンを算出し、前記再生パワーマージンを前記診断履歴情報として前記メモリに記憶することを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項４記載の記録再生装置は、請求項１乃至３のいずれか１項に記載の記録再生装置において、前記ディスク状記録媒体における前記情報信号の記録再生が不能な欠陥箇所を検出し、前記検出した欠陥箇所を示す情報を前記診断履歴情報として前記メモリに記憶することを特徴とする。
【手続補正１２】
【補正対象書類名】明細書
【補正対象項目名】００２１
【補正方法】変更
【補正の内容】
【００２１】
請求項５記載の記録再生装置は、請求項１乃至４のいずれか１項に記載の記録再生装置において、前記ディスク状記録媒体の反り量を検出し、前記検出された反り量を示す情報を前記診断履歴情報として前記メモリに記憶することを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項６記載の記録再生装置は、請求項１記載の記録再生装置において、前記表示手段は、前記診断履歴情報に基づいて前記ディスク状記録媒体の特性の経時相対変化量を表示することを特徴とする。
【手続補正１５】
【補正対象書類名】明細書
【補正対象項目名】００２４
【補正方法】変更
【補正の内容】
【００２４】
請求項７記載の記録再生装置は、請求項１記載の記録再生装置において、前記表示手段は、前記診断履歴情報に基づいて前記ディスク状記録媒体の特性を所定の基準レベルと比較して表示することを特徴とする。
【手続補正１６】
【補正対象書類名】明細書
【補正対象項目名】００２５
【補正方法】変更
【補正の内容】
【００２５】
請求項８記載の記録再生装置は、請求項１記載の記録再生装置において、前記診断手段は、前記ディスク状記録媒体の固有識別番号に基づいて前記ディスク状記録媒体の特性を診断することを特徴とする。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
上記目的を達成するために、請求項９記載の記録再生方法は、ディスク状記録媒体に対してレーザビームを照射して情報信号を記録再生する記録再生工程と、前記記録再生工程による前記情報信号の記録動作または再生動作に伴って、前記ディスク状記録媒体の特性を診断する診断工程と、前記診断工程にて得られた前記ディスク状記録媒体の特性の情報を診断履歴情報としてメモリに記憶する記憶工程と、前記メモリに記憶された診断履歴情報に基づいて前記ディスク状記録媒体の特性が所定のレベルに達する時期を予測する予測工程と、前記予測工程にて予測された時期を示す情報を表示装置に表示する表示工程とを備えることを特徴とする。
請求項１０記載の記録再生方法は、請求項９記載の記録再生方法において、前記診断工程は、前記レーザビームのパワーを複数段階に切り換えながら記録した所定のデータを再生した際の再生エラーにより所定の記録条件を満足する前記レーザビームの記録パワーマージンを算出し、前記記録パワーマージンを前記診断履歴情報として前記メモリに記憶することを特徴とする。
請求項１１記載の記録再生方法は、請求項９又は１０記載の記録再生方法において、前記診断工程は、前記レーザビームのパワーを複数段階に切り換えながら前記ディスク状記録媒体から再生した前記情報信号の再生エラーにより所定の再生条件を満足する前記レーザビームの再生パワーマージンを算出し、前記再生パワーマージンを前記診断履歴情報として前記メモリに記憶することを特徴とする。
請求項１２記載の記録再生方法は、請求項９乃至１１のいずれか１項に記載の記録再生方法において、前記診断工程は、前記ディスク状記録媒体における前記情報信号の記録再生が不能な欠陥箇所を検出し、前記検出した欠陥箇所を示す情報を前記診断履歴情報として前記メモリに記憶することを特徴とする。
請求項１３記載の記録再生方法は、請求項９乃至１２のいずれか１項に記載の記録再生方法において、前記診断工程は、前記ディスク状記録媒体の反り量を検出し、前記検出された反り量を示す情報を前記診断履歴情報として前記メモリに記憶することを特徴とする。
請求項１４記載の記録再生方法は、請求項９記載の記録再生方法において、前記表示工程は、前記診断履歴情報に基づいて前記ディスク状記録媒体の特性の経時相対変化量を表示することを特徴とする。
請求項１５記載の記録再生方法は、請求項９記載の記録再生方法において、前記表示工程は、前記診断履歴情報に基づいて前記ディスク状記録媒体の特性を所定の基準レベルと比較して表示することを特徴とする。
請求項１６記載の記録再生方法は、請求項９記載の記録再生方法において、前記診断工程は、前記ディスク状記録媒体の固有識別番号に基づいて前記ディスク状記録媒体の特性を診断することを特徴とする。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】０１５４
【補正方法】変更
【補正の内容】
【０１５４】
【発明の効果】
以上詳細に説明したように、本発明によれば、情報の記録及び情報の再生の少なくとも１つを行うときにディスク状記録媒体の特性を診断して診断履歴情報としてメモリに記憶し、当該メモリに記憶された診断履歴情報に基づいてディスク状記録媒体の特性が所定のレベルに達する時期を予測し、予測された時期を示す情報を表示装置に表示するので、ディスク状記録媒体のメーカー間や製造ロット間等による個体差に影響されることなく、品質変化を監視して一定レベルの品質維持が可能な有効期限を予測してユーザに通知することができる。